(57)【要約】【課題】  従来、複数の表示装置に１つの映像（画像）を切り替えるためには、ユーザが手動で表示装置に出力する映像を切り替える必要があった。【解決手段】  本発明の表示制御システムは、複数の表示手段からなる表示システムであって、画像の一部に相当する第１の領域を第１の表示手段に表示させる第１の表示制御手段と、逐次、前記第１の表示手段と第２の表示手段との位置関係を判定する判定手段と、前記判定手段によって前記第１の表示手段と前記第２の表示手段とが近接すると判断された場合、前記画像の一部に相当し、前記第１の領域と近接する位置関係にある第２の領域を、前記第２の表示手段に表示させる第２の表示制御手段とを有する。【選択図】  図１
2011033807.tif 000002
【特許請求の範囲】
【請求項１】
複数の表示手段からなる表示制御システムの制御方法であって、
画像の一部に相当する第１の領域を第１の表示手段に表示させる第１の表示制御工程と、
前記第１の表示手段と第２の表示手段とが近接しているか否か判定する判定工程と、
前記判定工程によって前記第１の表示手段と前記第２の表示手段とが近接していると判断された場合、前記画像の一部に相当し、前記第１の領域と近接する位置関係にある第２の領域を、前記第２の表示手段に表示させる第２の表示制御工程とを有する制御方法。
【請求項２】
複数の表示手段からなる表示制御システムであって、
画像の一部に相当する第１の領域を第１の表示手段に表示させる第１の表示制御手段と、
逐次、前記第１の表示手段と第２の表示手段とが近接しているか否か判定する判定手段と、
前記判定手段によって、前記第１の表示手段と前記第２の表示手段とが近接していると判断された場合、前記画像の一部に相当し、前記第１の領域と近接する位置関係にある第２の領域を、前記第２の表示手段に表示させる第２の表示制御手段とを有する表示制御システム。
【請求項３】
請求項１に記載の制御方法をコンピュータに実行させるプログラム。
【発明の詳細な説明】
【技術分野】
【０００１】
本発明は、表示装置に表示させる映像を切り替える技術に関する。
【背景技術】
【０００２】
近年、ＬＣＤやＰＤＰに代表される表示パネルや、プロジェクタを複数台連携させ、大画面を構成する装置が広く普及している。特にプロジェクタにおいては、投影位置や投影角度を調整することで投影面を容易に任意の位置に移動させることが可能なことから、表示パネルを複数台設置し大画面を構築するよりも、容易に大画面表示を実現できる。このような場合、個々のプロジェクタは表示されるコンテンツの部分領域の投影を担い、分割投影された投影面を統合することによって大画面を形成する。
【０００３】
このような複数のプロジェクタを用いた分割投影システムにおいて、複数の投影装置に加え、撮像装置によるフィードバックを用いることで、投影面の位置合わせや、個々のプロジェクタの順序を特定するシステムが開示されている。
【０００４】
例えば、特許文献１には、自身の投影面の外の領域を撮像し、自身と自身以外のプロジェクタが投影している映像が同じ場合に分割投影に切り替えることで、ユーザの映像信号の切り替え処理の負荷を軽減する技術が開示されている。
【先行技術文献】
【特許文献】
【０００５】
【特許文献１】特開２００６−２２９４００号公報
【発明の概要】
【発明が解決しようとする課題】
【０００６】
しかしながら、特許文献１の技術を用いて表示する映像（画像）を切り替えるためには、表示装置を移動させた後にユーザが手動で表示装置に出力する映像を切り替える必要があった。
【課題を解決するための手段】
【０００７】
そこで、本発明の表示制御システムは、複数の表示手段からなる表示システムであって、画像の一部に相当する第１の領域を第１の表示手段に表示させる第１の表示制御手段と、前記第１の表示手段と第２の表示手段とが近接しているか否か判定する判定手段と、前記判定手段によって前記第１の表示手段と前記第２の表示手段とが近接していると判断された場合、前記画像の一部に相当し、前記第１の領域と近接する位置関係にある第２の領域を、前記第２の表示手段に表示させる第２の表示制御手段とを有する。
【発明の効果】
【０００８】
本発明によれば、表示装置を所定の位置に移動させた後、ユーザが手動による操作を要することなく、表示装置に出力する映像を切り替えることが可能となる。
【図面の簡単な説明】
【０００９】
【図１】映像表示装置の概略構成の一例を示すブロック図
【図２】信号生成部の生成する映像信号の一例を示す図
【図３】映像表示装置の表示面の一例を示す図
【図４】映像表示装置の処理を示すフローチャート
【図５】映像表示装置の概略構成の一例を示すブロック図
【図６】映像表示装置の処理を示すフローチャート
【図７】映像表示装置の概略構成の一例を示すブロック図
【図８】映像表示装置の表示面の一例を示す図
【図９】映像表示装置の処理を示すフローチャート
【発明を実施するための形態】
【００１０】
以下、図面を参照して本発明を実施するための形態について説明する。
【００１１】
（実施例１）
図１は、映像表示装置の概略構成の一例を示すブロック図である。映像表示装置１００は、第一の映像表示部１１１、第二の映像表示部１２１、第一の映像信号生成部１１２、第二の映像信号生成部１２２を備える。また映像表示装置１００は、表示映像決定部１２３、表示領域輪郭検出部１１３、映像信号切替判断部１１４、映像信号切替部１１５を備える。
【００１２】
第一の映像表示部１１１と第二の映像表示部１２１は、ＬＣＯＳに代表される投影装置である。また、ＬＣＤやＰＤＰに代表されるディスプレイ装置でも良い。本実施例では、第一の映像表示部１１１と第二の映像表示部１２１は投影装置として説明を行う。
【００１３】
第一の映像信号生成部１１２と第二の映像信号生成部１２２は、ＰＣなどに代表される映像信号を生成する装置である。映像信号生成部は、メモリやハードディスクなどに蓄積された映像データから映像信号を生成し出力する。さらに、第二の映像信号生成部１２２は、映像表示部１２１の表示できる映像サイズよりも大きな領域の映像信号を生成することが可能である。例えば、映像表示部１２１が６４０Ｘ４８０の映像信号を表示可能な場合、映像信号生成部１２２は、映像表示部１２１の表示サイズよりも大きな領域である１２８０Ｘ９６０の映像信号を生成可能なものとする。
【００１４】
次に、表示映像決定部１２３は、映像信号生成部１２２が生成した映像信号の一部分をそれぞれ映像表示装置１２１と映像信号切替部１１５に出力する手段である。映像信号生成部１２２が生成した映像信号と、表示映像決定部１２３が出力する映像信号の一例を図２に示す。例えば、映像信号生成部１２２が生成した１２８０Ｘ９６０の映像信号は、図２の矩形領域ＡＢＣＤ２００となる。矩形領域ＡＢＣＤの座標は、Ａ（０，０）、Ｂ（１２８０、０）、Ｃ（０、９６０）、Ｄ（１２８０、９６０）である。表示映像決定部１２３は、矩形領域ＡＢＣＤの映像信号から、矩形領域ＡＥＦＧと矩形領域ＥＧＢＦをそれぞれ映像表示装置１２１と映像信号切替部１１５に送ることができる。矩形領域ＡＥＦＧの座標はＡ（０，０）、Ｅ（６４０、０）、Ｆ（０、４８０）、Ｇ（６４０、４８０）である。また、矩形領域ＥＧＢＦの座標はＥ（６４０、０）、Ｇ（６４０、４８０）、Ｂ（１２８０、０）、Ｆ（１２８０、４８０）である。
【００１５】
次に表示領域輪郭検出部１１３は、映像表示部の表示領域の輪郭を検出する手段である。例えば、表示領域輪郭検出部１１３は輝度計を用いる。輝度計で第一の映像表示部１１１と第二の映像表示部１２１の表示領域とその周囲の輝度を測定する。映像表示部１１１と１１２の表示領域は、映像が投射されているため輝度が高く、逆にその周囲は輝度が低く観測される。表示領域輪郭検出部１１３は、輝度の変化の急峻な線分で囲われた領域を映像の輪郭として検出する。
【００１６】
映像信号切替判断部１１４は、前記表示領域輪郭検出部によって検出された輪郭の位置もしくは移動速度によって映像切替信号を生成する手段である。映像切替信号の説明は後述する。本実施例では、映像信号切替判断部１１４は、前記表示領域輪郭検出部によって検出された第一の映像表示部１１１と第二の映像表示部１２１の輪郭が接触したことを検知し、映像切替信号を生成するものとする。なお、本発明は表示領域の輪郭の接触を検知することに限定されず、表示領域の輪郭の重畳や接近の検知や、表示領域の輪郭が一定速度以上で接近していることを検知することも本発明の範疇である。
【００１７】
映像信号切替部１１５は、第一の映像信号生成部１１２と、表示映像決定部１２３を介して第二の映像信号生成部１２２が生成した映像信号のどちらか一方を選択し、第一の映像表示部１１１に出力する手段である。映像信号の選択は、映像信号切替判断部１１４の出力する映像切替信号によって行われる。
【００１８】
図３は、第一の映像表示部１１１と第二の映像表示部１２１の表示領域を表す図である。また、図４は、映像表示装置における表示するコンテンツを切り替える処理を示すフローチャートである。以下、前述の図２の映像信号生成部が生成する映像信号例と、図３の表示領域の状態と、図４のフローチャートを用いて本実施例について説明する。
【００１９】
まず、ステップＳ４００において、映像表示装置１００は、表示するコンテンツを切り替える表示制御処理を開始する。
【００２０】
ステップＳ４０１に遷移し、第一、第二の映像信号生成部１１２、１２２において映像信号の生成を開始する。本実施例では、図２に示すように第一の映像信号生成部１１２は矩形領域ＡＢＣＤ２００（６４０Ｘ４８０）に相当する映像信号を生成する。また、映像信号生成部１２２は矩形領域ＥＦＧＨ（１２８０Ｘ９６０）に相当する映像信号を生成する。このように、２つの映像信号生成部１１２、１２２は異なるコンテンツを表示する映像信号を生成する。
【００２１】
ステップＳ４０２に遷移し、表示映像決定部１２３は、映像信号生成部１２２から送られた映像信号から、第二の映像表示部１２１と映像信号切替部１１５に送信する映像信号を決定する。表示映像決定部１２３では、矩形領域ＥＦＧＨ２１０の映像信号から、矩形領域ＥＩＪＬ２１１と矩形領域ＩＦＬＫ２１２をそれぞれ映像表示装置１２１と映像信号切替部１１５に送ることを決定する。
【００２２】
ステップＳ４０３に遷移し、第二の映像表示部１２１は、表示映像決定部１２３から送られた映像信号を出力する。第二の映像表示部１２１が映像信号を出力した状態を図３の＜状態ａ＞に示す。図３の＜状態ａ＞には、第二の映像表示部１２１によって、映像信号生成部１２２で生成された映像信号の一部である矩形領域ＥＩＪＬ２１１が表示されている。
【００２３】
ステップＳ４０４に遷移し、第一の映像信号生成部１１２に接続されている表示信号切替部１１５が出力信号の選択を行う。表示信号切替部１１５は、第一の映像信号生成部１１２と表示映像決定部１２３から送られる映像信号のどちらか一方を第一の映像表示部１１１に送信する。ステップ４０４では、表示信号切替部１１５は、第一の映像信号生成部１１２から送られる映像信号を第一の映像表示部１１１に送信する。
【００２４】
ステップＳ４０５に遷移し、第一の映像表示部１１１は表示信号切替部１１５を介して送られた映像信号生成部１１２の映像信号を表示する。第一の映像表示部１１１によって表示された映像を図３の＜状態ｂ＞の３２１に示す。第一の映像表示部１１１によって、映像信号生成部１１２で生成された矩形領域ＡＢＣＤ２００の映像信号が表示されている。＜状態ｂ＞においては、第一の映像表示部１１１と第二の映像表示部１２１は別々のコンテンツの映像を表示している。
【００２５】
ステップＳ４０６に遷移し、表示領域輪郭検出部１１３によって表示領域の輪郭を検出する。表示領域輪郭検出部１１３は第一の映像表示部１１１と第二の映像表示部１２１の表示領域とその周囲の輝度を測定する。映像表示部の表示領域３１１と表示領域３２１の輝度は高く観測され、その周囲の輝度は低く観測される。その輝度の境界を表示領域の輪郭として、表示領域輪郭検出部１１３が表示領域の輪郭を検出する。
【００２６】
ステップＳ４０７に遷移し、表示領域輪郭検出部１１３によって検出された輪郭情報を元に、表示信号切替判断部１１４が表示信号の切替の判断を行う。この判断は、表示領域輪郭検出部１１３によって得られた表示領域の輪郭の間隔Ｘを求めることで行う。各映像表示部の表示領域の輪郭の座標値から、第一の表示領域と第二の表示領域の輪郭の間隔Ｘを算出する。そして、間隔Ｘが、Ｘ＞０ならば、接触なしと判定する。現在、表示領域の輪郭は、図３の＜状態ｂ＞の位置にある。図３の＜状態ｂ＞においては、表示領域の輪郭の間隔Ｘは｛Ｘ：Ｘ＞０｝であり接触していないと判断される。尚、ステップＳ４０７の処理は逐次実行される。
【００２７】
再び、ステップＳ４０４に遷移し、表示信号切替部１１５は、第一の映像信号生成部１１２から送られる映像信号を第一の映像表示部１１１に送信する。
【００２８】
ステップＳ４０５に遷移し、映像表示部１１１は映像信号生成部１１２の映像信号を表示する。一方、第一の映像表示部１１１は表示信号切替部１１５を介して送られた映像信号生成部１１２の映像信号を表示している。このように、映像表示領域が接触していない状態である図３の＜状態ｂ＞においては、第一の映像表示部１１１と第二の映像表示部１２１は別々のコンテンツの映像を表示している。
【００２９】
次に、第一の映像表示部１１１の表示領域を左方向に移動させ、表示領域が図３の＜状態ｃ＞の位置にある場合の処理を説明する。
【００３０】
ステップＳ４０５において、第一の映像表示部１１１は前述の処理と同様に、映像信号切替部１１５を介して映像信号生成部１１２が生成した映像信号を表示する。
【００３１】
ステップＳ４０６に遷移し、前述の処理と同様に第一の映像表示部１１１と第二の映像表示部１２１の表示領域の輪郭を検出する。
【００３２】
ステップＳ４０７に遷移し、表示領域の輪郭が接触しているか否かを判断する。図３の＜状態ｃ＞においては、第一の映像表示部１１１の表示領域の輪郭と、第二の映像表示部１２１の表示領域の輪郭の距離は０であり接触していると判断される。
【００３３】
ステップＳ４０８に遷移し、映像信号切替判断部１１４は映像信号切替部１１５に対し、表示切替信号を出力する。
【００３４】
ステップＳ４０９に遷移し、映像切替信号を受信した映像信号切替部１１５は、表示映像決定部１２３から出力されている映像信号を映像表示部１１１に出力する。
表示映像決定部１２３の出力する信号は、図２に示す矩形領域ＩＦＬＫ２１２である。
【００３５】
再びステップＳ４０５に遷移し、映像表示部１１１で映像信号を表示する。この際、映像信号切替部１１５は前述の通り表示映像決定部１２３から出力を映像表示部１１１に出力しているので、表示領域は図３の＜状態ｄ＞になる。
すなわち、上記の処理よって、映像表示部１２１の表示領域３１３に表示された画像の一部と隣接する画像を映像表示部１１１の表示領域３２３に表示させる。
【００３６】
以上説明した処理を行うことにより、第一の映像表示部１１１の表示領域の輪郭と第二の映像表示部１２１の表示領域の輪郭が接触していない場合には、図２の＜状態ｂ＞のように個別のコンテンツの映像を投影する。また、第一の映像表示部１１１の表示領域の輪郭と第二の映像表示部１２１の表示領域の輪郭が接触している場合には、図２の＜状態ｄ＞のように２つの投影装置で単一のコンテンツを分割表示することができる。このように、表示領域の輪郭の状態を検知することにより、投影する映像を切り替えることができる。
【００３７】
尚、映像表示部１１１、１２１が、ディスプレイ装置である場合、第一の映像表示部１１１の表示領域の輪郭と第二の映像表示部１２１の表示領域の輪郭が接触しているか否かの判断する処理に替えて、映像表示部１１１、１２１の相対位置を判断してもよい。例えば、映像表示部１１１、１２１が接触または近接し、映像表示部１１１、１２１の表示領域が略同一の方向を向き、更に、並べて配置されている場合に、図３の＜状態ｄ＞のような表示をさせてもよい。
【００３８】
尚、表示部同士が接触しているか否かについては、例えば、接触／非接触を検知するセンサを用いて判断する。また、表示部同士が近接しているか否か、略同一の方向を向いているか、並べて配置されているかは、例えば、表示部間の無線通信等によって判断する。
【００３９】
尚、表示部同士が接触／非接触、近接しているか否か、略同一の方向を向いているか、並べて配置されているかを判断する技術は、上記の技術に限られず、周知の技術であり、これを実現できるものであれば、如何なる技術を用いてもよい。
【００４０】
尚、映像表示部１１１、１２１が、所定の位置関係である場合、映像表示部１２１に表示されている画像の領域と、前記画像についての仮想空間において所定の位置関係となる画像の領域を映像表示部１１１に表示させてもよい。尚、位置関係とは、相対的な位置関係だけでなく、それぞれの位置座標に基づく位置関係であってもよい。
【００４１】
また、映像表示領域とそれ以外の部分の輝度差を計測することで映像表示領域の輪郭の検出を行うことを前述したが、表示する映像信号の輪郭部分に、輪郭であることを特定するマーカを付加し、そのマーカを検出することで輪郭の検出を行ってもよい。
【００４２】
この場合、図１に示される各要素のうち、第一、第二の映像表示部１１１、１２１は、表示する映像信号に対し、その映像信号の輪郭部分にマーカを付加する機能を有している。また、表示領域輪郭検出部１１３は、表示領域から映像信号の輪郭に付加されたマーカを検出する機能を有する。
【００４３】
また、このときの処理も図４に示されるフローチャートと略同様であるが、マーカを付加する処理とマーカを検出して表示領域の輪郭を検出する処理については、異なるため、以下、詳述する。
【００４４】
図４のステップＳ４０３とステップＳ４０５では、第一、第二の映像表示部１１１と１２１が映像信号生成部において生成された映像信号を表示する。この際に、第一、第二の映像表示部１１１と１２１は映像信号生成部において生成された映像信号の輪郭にマーカを付加する。画像の特定の位置に特定のマーカを付加する一般的なマーカジェネレータの機能を用いて、輪郭にマーカを付加しても良い。矩形状の表示領域の頂点にマーカを付加し、表示領域輪郭検出部で頂点のマーカから輪郭を算出しても良い。また、このマーカは視聴者に不可視な信号であり、表示領域輪郭検出部１１３で検出可能な信号であればなお良い。
【００４５】
次に、図４のステップＳ４０６において、表示領域輪郭検出部１１３で付加された表示領域の輪郭にあるマーカを検出する。特定のマーカを検出する方法は、表示領域の周辺の映像を得て、マーカのパターンをパターンマッチング等で映像から検索しても良い。このようにマーカを用いて輪郭を検出した後、実施例１で説明した処理と同様に輪郭の接触の有無を判断し、第一の映像表示部１１１に表示する映像信号を切り替えることができる。
【００４６】
（実施例２）
実施例２では、表示領域を撮像し、撮像領域と生成している映像信号と比較することで表示領域の輪郭を特定する映像表示装置について説明を行う。
【００４７】
図５は、実施例２の映像表示装置の概略構成の一例を示すブロック図である。本実施例の映像表示装置５００は、実施例１の映像表示装置１００の表示領域輪郭検出部１１３の代わりに、撮像部５０１と映像比較部５０２と輪郭検出部５０３を有している。撮像部５０１は映像表示部の表示領域とその周囲を撮像できる手段である。例えば、ＣＣＤセンサやＣＭＯＳセンサ等の撮像装置である。映像比較部５０２は、前記撮像部５０１が撮像した撮像領域から、映像表示部１１１，１２１の表示している表示領域を検索する手段である。映像比較部５０２は、撮像部５０１が撮像した撮像領域と、映像表示部に入力されている映像信号を比較し一致する領域を検出する。
【００４８】
輪郭検出部５０３は、映像比較部５０２によって検出された映像表示部１１１、１２１の表示領域の輪郭を検出する手段である。映像表示部５００を構成するその他の手段は、実施例１と同じである。映像表示部５００の有する２つの映像表示部１１１、１２１と、映像信号生成部１１２、１２２と、表示映像決定部１２３と映像信号切替部１１５と映像信号切替判断部１１４は、実施例１と同様の手段である。
【００４９】
図３は、第一の映像表示部１１１と第二の映像表示部１２１の表示領域を表す図である。また、図６は、映像表示装置における表示するコンテンツを切り替える処理を示すフローチャートである。図２の映像信号生成部が生成する映像信号例と、図３の表示領域の状態と、図６のフローチャートを用いて本実施例について説明する。
【００５０】
まず、ステップＳ６００において、映像表示装置５００は、表示するコンテンツを切り替えるための一連の処理を開始する。
【００５１】
ステップＳ６０１に遷移し、第一、第二の映像信号生成部１１２、１２２において映像信号の生成を開始する。本実施例では、第一の映像信号生成部１１２は、実施例１同様、図２に示す矩形領域ＡＢＣＤ２００（６４０Ｘ４８０）に相当する映像信号を生成する。
【００５２】
また、映像信号生成部１２２は矩形領域ＥＦＧＨ（１２８０Ｘ９６０）に相当する映像信号を生成する。
【００５３】
ステップＳ６０２に遷移し、表示映像決定部１２３は、映像信号生成部１２２から送られた映像信号から、第二の映像表示部１２１と映像信号切替部１１５に送信する映像信号を決定する。実施例１同様、表示映像決定部１２３では、矩形領域ＥＦＧＨ２１０の映像信号から、矩形領域ＥＩＪＬ２１１と矩形領域ＩＦＬＫ２１２をそれぞれ映像表示装置１２１と映像信号切替部１１５に送ることを決定する。
【００５４】
ステップＳ６０３に遷移し、第二の映像表示部１２１は、表示映像決定部１２３から送られた映像信号を出力する。第二の映像表示部１２１が映像信号を出力した状態を図３の＜状態ａ＞に示す。第二の映像表示部１２１によって、映像信号生成部１２２で生成された映像信号の一部である矩形領域ＥＩＪＬ２１１が表示されている。
【００５５】
ステップＳ６０４に遷移し、第二の映像信号生成部１１２に接続されている表示信号切替部１１５が出力信号の選択を行う。表示信号切替部１１５は、映像信号生成部１１２と表示映像決定部１２３から送られる映像信号のどちらか一方を第一の映像表示部１１１に送信する。ステップ６０４では、表示信号切替部１１５は、第二の映像信号生成部１１２から送られる映像信号を第一の映像表示部１１１に送信する。
【００５６】
ステップＳ６０５に遷移し、第一の映像表示装置１１１は表示信号切替部１１５を介して送られた映像信号生成部１１２の映像信号を表示する。第一の映像表示部１１１によって表示された映像を図３の＜状態ｂ＞の３２１に示す。第一の映像表示部１１１によって、第一の映像信号生成部１１２で生成された矩形領域ＡＢＣＤ２００の映像信号が表示されている。＜状態ｂ＞においては、第一の映像表示部１１１と第二の映像表示部１２１は別々のコンテンツの映像を表示している。
【００５７】
ステップ６０６に遷移し、撮像部５０１が第一の映像表示部１１１と第二の映像表示部１２１の周辺領域を撮像する。図３の３３１に撮像領域を示す。撮像領域には、両映像表示部の表示領域が含まれていることが望ましい。
【００５８】
ステップＳ６０７に遷移し、映像比較部５０２が、撮像部５０１で撮像された撮像領域から、第一、第二の映像表示部で表示されている表示領域を検出する。本実施例では、表示領域の検出方法は、撮像部から入力された撮像領域から、第一、第二の映像表示部の入力映像をパターンマッチング等の手法で探索することで行う。図３の＜状態ｂ＞では、撮像領域３３１の中に、第一の映像表示部１１１の表示領域３２１と第二の映像表示部１２１の表示領域３１１が検出される。
【００５９】
ステップＳ６０８に遷移し、輪郭検出部５０３が撮像領域３３１の中から検出された第一の映像表示部１１１の表示領域３２１と第二の映像表示部１２１の表示領域３１１の輪郭を検出する。
【００６０】
ステップＳ６０９に遷移し、映像信号切替判断部１１４が、輪郭検出部５０３によって検出された輪郭の接触の有無を判断する。輪郭の接触の有無の判断は、実施例１と同様に輪郭の間隔Ｘを求めることで行う。図３の＜状態ｂ＞では、輪郭の間隔は｛Ｘ：Ｘ＞０｝であり接触していないと判断される。
【００６１】
再び、ステップＳ６０４に遷移し、表示信号切替部１１５は、映像信号生成部１１２から送られる映像信号を第一の映像表示部１１１に送信する。
【００６２】
ステップＳ６０５に遷移し、第一の映像表示部１１１は第一の映像信号生成部１１２の映像信号を表示する。一方、映像表示部１１１は表示信号切替部１１５を介して送られた映像信号生成部１１２の映像信号を表示している。このように、映像表示領域が接触していない状態である図３の＜状態ｂ＞においては、第一の映像表示部１１１と第二の映像表示部１２１は別々のコンテンツの映像を表示している。
【００６３】
次に、第一の映像表示部１１１の表示領域を左方向に移動させ、表示領域が図３の＜状態ｃ＞の位置にある場合の処理を説明する。
【００６４】
ステップＳ６０５において、第一の映像表示部１１１は前述の処理と同様に、映像信号切替部１１５を介して第一の映像信号生成部１１２が生成した映像信号を表示する。
【００６５】
ステップＳ６０６に遷移し、撮像部５０１が第一の映像表示部１１１と第二の映像表示部１２１の周辺領域を撮像する。図３の３３２に撮像領域を示す。
【００６６】
ステップＳ６０７に遷移し、映像比較部５０２が、撮像部５０１で撮像された撮像領域から、第一、第二の映像表示部で表示されている表示領域を検出する。
【００６７】
ステップＳ６０８に遷移し、輪郭検出部５０３が撮像領域３３２の中から検出された第一の映像表示部１１１の表示領域３２２と第二の映像表示部１２１の表示領域３１２の輪郭を検出する。
【００６８】
ステップＳ６０９に遷移し、表示領域の輪郭が接触しているか否かを判断する。図３の＜状態ｃ＞においては、第一の映像表示部１１１の表示領域の輪郭と、第二の映像表示部１２１の表示領域の輪郭の間隔Ｘは０であり接触していると判断される。
【００６９】
ステップＳ６１０に遷移し、映像信号切替判断部１１４は映像信号切替部１１５に対し、表示切替信号を出力する。
【００７０】
ステップＳ６１１に遷移し、映像切替信号を受信した映像信号切替部１１５は、表示映像決定部１２３から出力されている映像信号を映像表示部１１１に出力する。表示映像決定部１２３の出力する信号は、図２に示す矩形領域ＩＦＬＫ２１２である。
【００７１】
再びステップＳ６０５に遷移し、映像表示部１１１で映像信号を表示する。この際、映像信号切替部１１５は前述の通り表示映像決定部１２３から出力を映像表示部１１１に出力しているので、表示領域は図３の＜状態ｄ＞になる。
【００７２】
以上説明した処理を行うことにより、第一の映像表示部１１１の表示領域の輪郭と第二の映像表示部１２１の表示領域の輪郭が接触していない場合には、図２の＜状態ｂ＞のように個別のコンテンツの映像を投影する。また、第一の映像表示部１１１の表示領域の輪郭と第二の映像表示部１２１の表示領域の輪郭が接触している場合には、図２の＜状態ｄ＞のように２つの投影装置で単一のコンテンツを分割表示することができる。このように、表示領域を撮像し、撮像領域と生成している映像信号と比較することで表示領域の輪郭を特定し、その輪郭の状態を検知することにより、投影する映像を切り替えることができる。
【００７３】
（実施例３）
実施例３では、前述の機能に加え、表示領域輪郭検出部７１３が表示領域の輪郭の座標情報を取得する機能を有し、表示領域の位置に適した映像信号を表示映像決定部７２３で生成する映像表示装置について説明する。
【００７４】
図７は、実施例３の映像表示装置の概略構成の一例を示すブロック図である。本実施例の映像表示装置７００は、第一の映像表示部１１１、第二の映像表示部１２１、第一の映像信号生成部１１２、第二の映像信号生成部１２２を備える。また、映像表示装置７００は、表示映像決定部７２３、表示領域輪郭検出部７１３、映像信号切替判断部１１４、映像信号切替部１１５を備える。ただし、表示領域輪郭検出部７１３には、検出した表示領域の輪郭の座標情報を取得する機能を有する。また、表示映像決定部７２３は、表示領域輪郭検出部７１３で取得した輪郭の座標情報を元に出力する映像信号を決定する機能を有する。また、第一の映像表示部１１１と、第二の映像表示部１２１と、第一の映像信号生成部１１２と、第二の映像信号生成部１２２と、映像信号切替判断部１１４と、映像信号切替部１１５は、実施例１と同じである。
【００７５】
図８は、第一の映像表示部１１１と第二の映像表示部１２１の表示領域を表す図である。また、図９は、映像表示装置における表示するコンテンツを切り替える処理を示すフローチャートである。以下、図８の表示領域の状態を示す図と図９のフローチャートとを用いて本実施例について説明する。
【００７６】
まず、ステップＳ９００において、映像表示装置７００は表示するコンテンツを切り替えるための一連の処理を開始する。
【００７７】
ステップＳ９０１に遷移し、第一、第二の映像信号生成部１１２、１２２において映像信号の生成を開始する。本実施例では、第一の映像信号生成部１１２は、図２に示すように矩形領域ＡＢＣＤ２００（６４０Ｘ４８０）に相当する映像信号を生成する。
【００７８】
また、映像信号生成部１２２は矩形領域ＥＦＧＨ（１２８０Ｘ９６０）に相当する映像信号を生成する。このように、２つの映像信号生成部１１２、１２２は異なるコンテンツを表示する映像信号を生成する。
【００７９】
ステップＳ９０２に遷移し、表示映像決定部１２３は、第二の映像信号生成部１２２から送られた映像信号から、第二の映像表示部１２１に送信する映像信号を決定する。表示映像決定部１２３では、矩形領域ＥＦＧＨ２１０の映像信号から、矩形領域ＥＩＪＬ２１１を第二の映像表示装置１２１に出力することを決定する。
【００８０】
ステップＳ９０３に遷移し、第二の映像表示部１２１は、表示映像決定部１２３から送られた映像信号を出力する。第二の映像表示部１２１が映像信号を出力した状態を図３の＜状態ａ＞に示す。第二の映像表示部１２１によって、映像信号生成部１２２で生成された映像信号の一部である矩形領域ＥＩＪＬ２１１が表示されている。
【００８１】
ステップＳ９０４に遷移し、第一の映像信号生成部１１２に接続されている表示信号切替部１１５が出力信号の選択を行う。表示信号切替部１１５は、第一の映像信号生成部１１２と表示映像決定部１２３から送られる映像信号のどちらか一方を第一の映像表示部１１１に出力する。
【００８２】
ステップＳ９０４では、表示信号切替部１１５は、映像信号生成部１１２から送られる映像信号を第一の映像表示部１１１に出力する。
【００８３】
ステップＳ９０５に遷移し、第一の映像表示装置１１１は表示信号切替部１１５を介して送られた映像信号生成部１１２の映像信号を表示する。第一の映像表示部１１１によって表示された映像を図３の＜状態ｂ＞の３２１に示す。図３の＜状態ｂ＞に示すように、本実施例では、実施例１とは異なり第一の映像表示部１１１と第二の映像表示部１２１が表示する表示領域のサイズが異なる場合について説明する。プロジェクタなどの投影装置では、投影面と投影装置の位置やズームにより表示領域のサイズを変更することが可能である。このように＜状態ｂ＞においては、第一の映像表示部１１１と第二の映像表示部１２１は別々のコンテンツの映像を表示している。
【００８４】
ステップＳ９０６に遷移し、表示領域輪郭検出部１１３によって表示領域の輪郭を検出する。輪郭を検出する方法は、請求項１で述べた表示領域とその周囲の輝度を測定することで輪郭を検出する。なお、請求項２の輪郭にマーカを付加する方法や、請求項３記載の撮像装置を用いる方法でもよい。表示領域輪郭検出部１１３は第一の映像表示部１１１と第二の映像表示部１２１の表示領域とその周囲の輝度を測定する。映像表示部の表示領域３１１と表示領域３２１の輝度は高く観測され、その周囲の輝度は低く観測される。その輝度の境界を表示領域の輪郭として、表示領域輪郭検出部１１３が表示領域の輪郭を検出する。
【００８５】
ステップＳ９０７に遷移し、表示領域輪郭検出部１１３によって検出された輪郭情報を元に、表示信号切替判断部１１４が表示信号の切替の判断を行う。この判断は、表示領域輪郭検出部１１３によって得られた表示領域の輪郭の間隔Ｘを求めることで行う。各映像表示部の表示領域の輪郭の座標値から、第一の表示領域と第二の表示領域の輪郭の間隔Ｘを算出する。そして、間隔Ｘが、Ｘ＞０ならば、接触なしと判定する。現在、表示領域の輪郭は、図３の＜状態ｂ＞の位置にある。図３の＜状態ｂ＞においては、表示領域の輪郭の間隔Ｘは｛Ｘ：Ｘ＞０｝であり接触していないと判断される。
【００８６】
再び、ステップＳ９０４に遷移し、表示信号切替部１１５は、映像信号生成部１１２から送られる映像信号を第一の映像表示部１１１に送信する。
【００８７】
ステップＳ９０５に遷移し、第一の映像表示部１１１は第一の映像信号生成部１１２の映像信号を表示する。一方、第一の映像表示部１１１は表示信号切替部１１５を介して送られた映像信号生成部１１２の映像信号を表示している。このように、映像表示領域が接触していない状態である図３の＜状態ｂ＞においては、第一の映像表示部１１１と第二の映像表示部１２１は別々のコンテンツの映像を表示している。
【００８８】
次に、第一の映像表示部１１１の表示領域を左方向に移動させ、表示領域が図８の＜状態ｃ＞の位置にある場合の処理を説明する。
【００８９】
ステップＳ９０５において、第一の映像表示部１１１は前述の処理と同様に、映像信号切替部１１５を介して映像信号生成部１１２が生成した映像信号を表示する。
【００９０】
ステップＳ９０６に遷移し、前述の処理と同様に第一の映像表示部１１１と第二の映像表示部１２１の表示領域の輪郭を検出する。
【００９１】
ステップＳ９０７に遷移し、表示領域の輪郭が接触しているか否かを判断する。図３の＜状態ｃ＞においては、第一の映像表示部１１１の表示領域の輪郭と、第二の映像表示部１２１の表示領域の輪郭の距離は０であり接触していると判断される。
【００９２】
ステップＳ９０８に遷移し、映像信号切替判断部１１４は映像信号切替部１１５に対し、表示切替信号を出力する。
【００９３】
ステップ９０９に遷移し、表示領域輪郭検出部７１３が、表示領域の輪郭の座標情報を取得し、表示映像決定部７２３に出力する。表示領域輪郭検出部７１３が、検出する座標は表示領域の相対的な座標を検出する。図８の＜状態ｃ＞に記載のように、第一の映像表示部１１１の表示領域８２２の幅と高さをそれぞれｘ、ｙとすると、第二の映像表示部１２１の表示領域の幅と高さはそれぞれ３ｘ、４ｙであると検出できる。また、第二の映像表示部１２１の表示領域の左上の頂点を座標（０，０）とすると、第一の映像表示部１１１の表示領域と第二の映像表示部１２１の表示領域の接触位置は、線分（３ｘ、ｙ）（３ｘ、２ｙ）で接触している。さらに第一の映像表示部１２１の表示領域の４点の座標は、座標（３ｘ、ｙ）、座標（４ｘ、ｙ）、座標（３ｘ、２ｙ）、座標（４ｘ、２ｙ）であることが、表示領域輪郭検出部７１３によって検出される。
【００９４】
ステップＳ９１０に遷移し、表示映像決定部７２３が、表示領域輪郭検出部によって得られた座標情報を基に、出力する映像信号を決定する。表示映像決定部７２３は、座標（３ｘ、ｙ）、座標（４ｘ、ｙ）、座標（３ｘ、２ｙ）、座標（４ｘ、２ｙ）の４点の矩形領域に相当する映像信号の実座標を演算する。第二の映像表示装置１２２に表示されている映像信号のサイズは、ＥＩＪＬ（６４０ｘ４８０）であることから、３ｘ＝６４０、４ｙ＝４８０であることが演算される。ｘ＝２１３、ｙ＝１２０であることから、表示映像決定部７２３は、座標（６４０、１２０）、座標（８５２、１２０）、座標（６４０、２４０）、座標（８５２、２４０）の４点の矩形領域に相当する映像信号を映像信号切替部１１５に対し出力する。
【００９５】
ステップＳ９１１に遷移し、映像切替信号を受信した映像信号切替部１１５は、表示映像決定部１２３から出力されている映像信号を映像表示部１１１に出力する。
【００９６】
以上説明した処理を行うことにより、第一の映像表示部１１１の表示領域と第二の映像表示部１２１の表示領域が接触していない場合には、図８の＜状態ｂ＞のように個別のコンテンツの映像を投影する。また、第一の映像表示部１１１の表示領域と第二の映像表示部１２１の表示領域が接触している場合には、図８の＜状態ｄ＞に示すように投影面の座標に基づいた映像信号を生成することにより単一のコンテンツを２つの投影装置で表示することができる。このように、表示領域の輪郭の状態を検知し、座標情報を取得することにより、投影する映像を切り替えることができる。
【００９７】
（その他の実施例）
以上、本発明の実施例について詳述したが、本発明は、複数の機器から構成される表示制御システムに適用しても良いし、また、一つの機器からなる装置に適用しても良い。
なお、本発明は、前述した実施形態の機能を実現するプログラムを、システム或いは装置に直接或いは遠隔から供給し、そのシステム或いは装置が、供給されたプログラムコードを読み出して実行することによっても達成される。従って、本発明の機能処理をコンピュータで実現するために、コンピュータにインストールされるプログラムコード自体も本発明の技術的範囲に含まれる。
【００９８】
その場合、プログラムの機能を有していれば、オブジェクトコード、インタプリタにより実行されるプログラム、ＯＳに供給するスクリプトデータ等、プログラムの形態を問わない。
【００９９】
プログラムを供給するための記録媒体としては、例えば、フレキシブルディスク、ハードディスク、光ディスク（ＣＤ、ＤＶＤ）、光磁気ディスク、磁気テープ、不揮発性のメモリカード、ＲＯＭなどがある。
【０１００】
また、コンピュータが、読み出したプログラムを実行することによって、前述した実施例の機能が実現される。その他、そのプログラムの指示に基づき、コンピュータ上で稼動しているＯＳなどが、実際の処理の一部または全部を行い、その処理によっても前述した実施例の機能が実現され得る。
【０１０１】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施例の機能が実現される。
【図１】
2011033807.tif 000003
【図２】
2011033807.tif 000004
【図３】
2011033807.tif 000005
【図４】
2011033807.tif 000006
【図５】
2011033807.tif 000007
【図６】
2011033807.tif 000008
【図７】
2011033807.tif 000009
【図８】
2011033807.tif 000010
【図９】
2011033807.tif 000011